(57)【特許請求の範囲】
【請求項１】
第１軸を中心として回転自在に設けられており、フイルム巻き上げが行われる間にチャージ位置に向けて回転し、シャッタレリーズ後にレリーズ完了位置に向けて逆転するシャッタ駆動レバーと、
前記第１軸とは異なる位置に設けた第２軸を中心として回転自在に設けられ、前記シャッタ駆動レバーに係合する係合部を有しており、フイルム巻き上げ完了後に前記係合部がシャッタ駆動レバーの回転域に入り込んで前記シャッタ駆動レバーをチャージ位置に保持するとともにフイルム巻き上げを阻止する巻き止め位置に回転し、また、シャッタレリーズに応答して前記シャッタ駆動レバーのチャージ位置での保持を解除するとともに前記フイルム巻き上げの阻止を解除する巻き止め解除位置に向けて逆転する係止レバーと、
前記第２軸に支持されており、一端がシャッタ駆動レバーに係合してシャッタ駆動レバーをレリーズ完了位置に向けて付勢するとともに、他端が前記係止レバーに係合し係止レバーを巻き止め位置に向けて付勢するとともに、前記付勢により前記第１軸を第２軸に対して離反させる方向に押す作用をしてしまうバネと、
前記第１軸を中心に回転自在に設けられ、１コマ分のフイルム移送が行われる間に所定目盛り分だけ一方向に１歩進するとともに、最後の撮影を完了した後のフイルム移送によって歩進する撮影完了回転位置の時に前記係止レバーの回転域に入り込んで前記係止レバーに設けた突起に係合して、前記巻き止め位置と巻き止め解除位置との間でかつシャッタ駆動レバーをチャージ位置に保持したままフイルム巻き上げを許容するフイルム収納許容位置に前記係止レバーを保持する巻き止め阻止凸部を有した枚数表示板と、を備え、
前記枚数表示板の撮影完了回転位置は、前記巻き止め阻止凸部と第１軸の中心とを通る線分が、前記バネが第１軸に作用をする方向に対して略直交する角度に回転する位置となっていることを特徴とするレンズ付きフイルムユニット。
【請求項２】
前記枚数表示板に設けた開口と、前記第１軸から枚数表示板が抜けないように押さえる保持板と、前記保持板に弾性自在に設けられており、通常は弾性変形して枚数表示板の上面に摺動しており、撮影完了回転位置に歩進したときに前記開口に入り込んで枚数表示板の回転をロックするロックピンとを備えたことを特徴とする請求項１記載のレンズ付きフイルムユニット。
【発明の詳細な説明】
【０００１】
【産業上の利用分野】
本発明は、レンズ付きフィルムユニットに関するものである。
【０００２】
【従来の技術】
従来、レンズ付きフイルムユニット（以下「フイルムユニット」と称す。）が良く知られている。このフイルムユニットは、パトローネを装填するパトローネ収納室とパトローネから引き出した未露光の写真フイルムをロール形態で収納するフイルムロール室とが一体に形成された本体部に、巻き上げノブ、シャッタ機構、フイルムカウンタ機構、フイルム巻き止め機構、撮影レンズ、及びストロボ装置等の機能部品が組み込まれており、撮影を行う毎に露光済みの写真フイルムをパトローネの内部に順次に収納する。
【０００３】
フイルムカウンタ機構、フイルム巻き止め機構、及びシャッタ機構は、従来、図１０に示すように、従動スプロケット６１、回転部材６２、捩じりバネ６３、係止レバー６４、シャッタ駆動レハー６５、及び撮影枚数表示板６６等から構成されている。シャッタ駆動レバー６５と撮影枚数表示板６６とは軸６７に、また、捩じりバネ６３と係止レバー６４とは軸６８に、さらに、従動スプロケット６１と回転部材６２とは連結された状態で軸受開口６９に回転自在に支持される。
【０００４】
捩じりバネ６３は、一端６３ａがシャッタ駆動レバー６５のバネ受け部６５ａに係合し、軸６７を中心としてシャッタ駆動レバー６５を反時計方向に向けて付勢している。また捩じりバネ６３の他端６３ｂは係止レバー６４の立ち下がり片６４ａに係合し、軸６８を中心として係止レバー６４を時計方向に向けて付勢している。回転部材６２は、上方から順に一歯ギヤ７０、巻き止めカム７１、シャッタチャージカム７２とが一体に形成されている。巻き止めカム７１には係止レバー６４の爪部６４ｂが当接し、また、シャッタチャージカム７２には、シャッタ駆動レバー６５の一端６５ｂが当接する。一歯ギヤ７０には、撮影枚数表示板６６の外周に形成された歯列が噛合している。
【０００５】
１コマ分のフイルム移送が行われると、パーフォレーションに係合する従動スプロケット６１が一回転する。この回転は回転部材６２に伝達される。回転部材６２が１回転した時点で、一歯ギヤ７０が撮影枚数表示板６６を一目盛り分だけ歩進させる。また、このとき、シャッタチャージカム７２が一端６５ｂを押し上げ捩じりバネ６３の付勢に抗して軸６７を中心にシャッタ駆動レバー６５を時計方向に回転させる。これによりシャッタ駆動レバー６５がレリーズ完了位置からチャージ位置にチャージされる。
【０００６】
一方、係止レバー６４は、回転部材６２が１回転した時点で、巻き止めカム７１の外周の溝７１ａに爪部６４ｂが入り込み巻き止め位置に回転する。これにより、従動スプロケット６１の回転がロックされる。このとき、係止レバー６４の下突条部６４ｃがシャッタ駆動レバー６５の立ち上がり片６５ｃの回動軌跡内に入り込み、シャッタ駆動レバー６５をチャージ位置で保持する。
【０００７】
シャッタレリーズ操作が行われると、係止レバー６４が捩じりバネ６３の付勢に抗して軸６８を中心に反時計方向に向けて回転され、巻き止め解除位置に移動する。このとき、係止レバー６４の下突条部６４ｃがシャッタ駆動レバー６５の立ち上がり片６５ｃの回動軌跡内から外れ、シャッタ駆動レバー６５が捩じりバネ６３の付勢によってレリーズ完了位置に向けて瞬時に回転する。この回転の際に、シャッタ駆動レバー６５の蹴飛ばしアーム６５ｄがシャッタ羽根７３を蹴飛ばす。シャッタ駆動レバー６５がレリーズ完了位置に回転すると、これの立ち上がり片６５ｃが下突条部６４ｃの回動軌跡内に入り込んで、係止レバー６４を捩じりバネ６３の付勢に抗して巻き止め解除位置に保持する。これにより、従動スプロケット６１の回転ロックが解除されたままの状態となり、次回のフイルム巻き上げが行える。
【０００８】
撮影枚数表示板６６の歯列には、切り欠き部６６ａが形成されている。また、下面には、円弧状のリブ６６ｂが一体に形成されており、リブ６６ｂの一部には内側に突出した爪６６ｃが形成されている。切り欠き部６６ａは、図１１に示すように、最後の撮影を完了した後のフイルム巻き上げ操作によって撮影枚数表示板６６が一目盛り分だけ歩進した時点で一歯ギヤ７０との噛合位置に回転してくる。このとき、爪６６ｃは、係止レバー６４の爪部６４ｂの上面に突出して設けた突起部６４ｄの回動軌跡内に入り込んで係止レバー６４をフイルム収納許容位置に保持する。この状態では、巻き止めカム７１の外周の溝７１ａに爪部６４ｂが入り込んでおらず、また、下突条部６４ｃが立ち上がり片６５ｃの回動軌跡内に入り込んでいるため、シャッタ駆動レバー６５もチャージ位置で保持されている。このような状態にされると、従動スプロケット６１がフリーとなり、したがって最後の撮影を終えた後のフイルム巻き上げ操作によって全部の写真フイルムをパトローネの内部に収納することができる。
【０００９】
【発明が解決しようとする課題】
しかしながら、最後の撮影を完了した後のフイルム巻き上げ操作中に、シャッタ羽根が開閉する恐れがあった。というのは、図１１に示すように、捩じりバネ６３は、一端６３ａがシャッタ駆動レバー６５を反時計方向に、他端６３ｂが係止レバー６４を時計方向にそれぞれ付勢しているため、係止レバー６４の軸６８に対してシャッタ駆動レバー６５の軸６７を引き離す方向に向けて付勢することになる。そして、万が一、軸６７が同図に示す矢印方向に撓むと、撮影枚数表示板６６の爪６６ｃと係止レバー６４の突起部６４ｄが当接するタイミングが早められ、係止レバー６４のフイルム収納許容位置がずれる。このずれにより、下突条部６４ｃが立ち上がり片６５ｃの回動軌跡内に入り込まなくなり、シャッタ駆動レバー６５がフリーとなる。したがって、シャッタチャージカム７２の回転でシャッタ駆動レバー６５が回動し、この間にシャッタ羽根７３を蹴飛ばしてしまう。この場合には、規定枚数のコマ以降にも撮影を行ってしまい、現像所で無駄なプリントが行われてしまう恐れがある。
【００１０】
本発明は上記問題点に鑑みてなされたもので、規定枚数のコマ以降に撮影が行われるのを防止したレンズ付きフイルムユニットを提供することを目的とする。
【００１１】
【課題を解決するための手段】
上記問題点を解決するために、本発明では、第１軸を中心として回転自在に設けられており、フイルム巻き上げが行われる間にチャージ位置に向けて回転し、シャッタレリーズ後にレリーズ完了位置に向けて逆転するシャッタ駆動レバーと；前記第１軸とは異なる位置に設けた第２軸を中心として回転自在に設けられ、前記シャッタ駆動レバーに係合する係合部を有しており、フイルム巻き上げ完了後に前記係合部がシャッタ駆動レバーの回転域に入り込んで前記シャッタ駆動レバーをチャージ位置に保持するとともにフイルム巻き上げを阻止する巻き止め位置に回転し、また、シャッタレリーズに応答して前記シャッタ駆動レバーのチャージ位置での保持を解除するとともに前記フイルム巻き上げの阻止を解除する巻き止め解除位置に向けて逆転する係止レバーと；前記第２軸に支持されており、一端がシャッタ駆動レバーに係合してシャッタ駆動レバーをレリーズ完了位置に向けて付勢するとともに、他端が前記係止レバーに係合し係止レバーを巻き止め位置に向けて付勢するとともに、前記付勢により前記第１軸を第２軸に対して離反させる方向に押す作用をしてしまうバネと；前記第１軸を中心に回転自在に設けられ、１コマ分のフイルム移送が行われる間に所定目盛り分だけ一方向に１歩進するとともに、最後の撮影を完了した後のフイルム移送によって歩進する撮影完了回転位置の時に前記係止レバーの回転域に入り込んで前記係止レバーに設けた突起に係合して、前記巻き止め位置と巻き止め解除位置との間でかつシャッタ駆動レバーをチャージ位置に保持したままフイルム巻き上げを許容するフイルム収納許容位置に前記係止レバーを保持する巻き止め阻止凸部を有した枚数表示板と；を備え、前記枚数表示板の撮影完了回転位置は、前記巻き止め阻止凸部と第１軸の中心とを通る線分が、前記バネが第１軸に作用をする方向に対して略直交する角度に回転する位置としたものである。
【００１２】
【作用】
バネは、第１軸を第２軸に対して離反する方向に向けて押す作用をしてしまう。このため、第１軸に設けた枚数表示板の巻き止め阻止凸部は、第１軸が前記離反する方向に撓むと、第２軸に設けた係止レバーの突起との係合位置がズレて、係止レバーをフイルム収納許容位置に保持することができなくなる恐れがあるが、巻き止め阻止凸部と第１軸の中心とを通る線分が、前記バネが第１軸に作用をする方向に対して略直交する角度に回転したときに巻き止め阻止凸部が突起に係合するように構成したから、第１軸が前記作用方向に撓んでもその撓み方向が、巻き止め阻止凸部が突起に係合する方向と略平行となるので係合を確実なものとすることができる。
【００１３】
【実施例】
図１は、本発明を用いたレンズ付きフイルムユニットの外観を示すものである。レンズ付きフイルムユニット２は、薄型化の向上を図ったタイプのものであり、撮影機構等が内蔵されたユニット本体３とこれを収納する外ケース４とから構成されている。外ケース４は、ユニット本体３に組み込まれた巻き上げノブ５、ストロボ発光部６、シャッタボタン７等を露呈させるような輪郭となっており、また、撮影レンズ８、対物側ファインダ窓９ａ及び撮影枚数表示窓１０を露出させるための穴が設けられている。また、ストロボ発光部６の下部にはストロボ充電スイッチ１１が設けられている。
【００１４】
図２に分解して示したように、ユニット本体３は、本体基部１２，露光ユニット１３，ストロボユニット１４，後カバー１５及び前カバー１６から構成されており、これらは爪係合によって着脱自在に取り付けられている。
【００１５】
本体基部１２は、光軸１７上に遮光筒１８が設けられている。この裏側には、写真フイルムへの露光範囲を決定するアパーチャーが形成されている。遮光筒１８の両側には、パトローネ収納室１９とフイルムロール室２０とが形成されている。
【００１６】
パトローネ収納室１９とフイルムロール室２０の内部には、パトローネ付き写真フイルム２１が装填され、後カバー１５とで光密に収納される。パトローネ収納室１９の上には、巻き上げノブ５が回動自在に配置されている。巻き上げノブ５は、軸がパトローネ収納室１９の開口を挿通してパトローネ２２のスプール２３に係合しており、フイルム巻き上げ方向への回転によって撮影済みの写真フイルム２４をパトローネ２２の内部に巻き取る。
【００１７】
ストロボユニット１４は、充電スイッチ１１の押下操作によってメインコンデンサに充電を行い、シャッタレリーズに連動してストロボ光を発光部から被写体に向けて照射する。
【００１８】
後カバー１５には、アパーチャーに対面する部分にフイルム支持面２５が形成されいる。底面側には、パトローネ収納室１９とフイルムロール室２０との底面を覆うプルトップ式の蓋２６，２７とがそれぞれ設けられている。蓋２６は露光済みフイルムを収納したパトローネ２２を取り出すときの取り出し蓋となる。フイルム支持面２５の上方には、接眼側ファインダ窓２８が形成されている。
【００１９】
前カバー１６には、シャッタボタン７，対物側ファインダ窓９ａ，撮影枚数表示窓１０，ストロボ充電スイッチ１１，等が形成され、また、パトローネ収納室１９の突出に合わせた突出部２９が形成されている。この突出部２９は撮影時にグリップとなる。
【００２０】
露光ユニット１３は、ベース部３０に、フイルム巻上げ機構，フイルムカウンタ機構，シャッタ機構等が組み込まれている。また、ベース部３０の前面側には撮影レンズ８が組み込まれており、ベース部３０の上部にはファインダ光学系３１が組み込まれている。このファインダ光学系３１の上部には、透明なプラスチック材料で形成された保持板３２が取り付けられている。
【００２１】
露光ユニット１３は、本体基部１２に着脱自在に取り付けられ、その後の前カバー１６の取り付けにより、本体基部１２と前カバーとの間に挟装される。このとき、保持板３２の上方は前カバー１６によって覆われる。また、ベース部と遮光筒との係合により、撮影レンズ８とアパーチャーとの間で暗箱が形成される。なお、暗箱を本体基部１２に一体に形成し、暗箱の外壁にフイルム巻止め機構、フイルムカウンタ機構、ファインダ光学系、及びシャッタ機構とを組み込むようにしてもよい。
【００２２】
図３ないし図６に示すように、ベース部３０には、上面に２つの軸３３，３４と軸受開口５２とが一体に形成されている。軸３３には、シャッタ駆動レバー３５と枚数表示板３６とが順に挿入される。他方、軸３４には、捩じりバネ３７と係止レバー３８とが順に挿入される。
【００２３】
軸受開口５２には回転部材３９が挿入される。回転部材３９は、中央部分に巻き止めカム４０、シャッタチャージカム４１、下方に突出した軸４２、及び上方に突出したカム軸４３とが一体に形成されている。軸４２には、写真フイルム２４のパーフォレーションに係合する歯を備えた従動スプロケット４４が連結される。
【００２４】
捩じりバネ３７は、一端３７ａがシャッタ駆動レバー３５のバネ受け部３５ａに係合しており、軸３３を中心としてシャッタ駆動レバー３５を反時計方向（レリーズ完了位置）に向けて付勢している。また捩じりバネ３７の他端３７ｂは係止レバー３８の立ち下がり片３８ａに係合し、軸３４を中心として係止レバー３８を時計方向（巻き止め位置）に向けて付勢している。シャッタチャージカム４１には、シャッタ駆動レバー３５の一端３５ｂが当接しており、写真フイルム２４の移送に連動してシャッタ駆動レバー３５を時計方向（チャージ位置）に向けて回転させる。
【００２５】
１コマ分のフイルム移送が行われると、回転部材３９が反時計方向に１回転する。この１回転した時点で、巻き止めカム４０の外周の溝４０ａに係止レバー３８の爪部３８ｂが嵌入し、従動スプロケット４４の回転をロックする。また係止レバー３８の爪部３８ｂが溝４０ａに嵌入した巻き止め位置に回転する途中では、係止レバー３８の下突条部３８ｃがシャッタ駆動レバー３５の立ち上がり片３５ｃの回動軌跡内に入り込み、シャッタ駆動レバー３５をチャージ位置で保持する。なお、係止レバー３８が巻き止め位置に回転した際には、係止レバー３８の巻き止め爪３８ｄが巻き上げノブ５の外周の歯列５ａ（図２参照）に噛み合い、フイルム巻き上げ操作を阻止する。
【００２６】
シャッタボタン７の押圧操作によって係止レバー３８が反時計方向（巻き止め解除位置）に向けて回転される。この回転により係止レバー３８の下突条部３８ｃがシャッタ駆動レバー３５の立ち上がり片３５ｃの回動軌跡内から外れ、シャッタ駆動レバー３５が捩じりバネ３７の付勢によってレリーズ完了位置に向けて瞬時に回転する。この回転の際に、シャッタ駆動レバー３５の蹴飛ばしアーム３５ｄが詳しくは後述するシャッタ羽根４５を蹴飛ばす。また、シャッタ駆動レバー３５がレリーズ完了位置に回転すると、立ち上がり片３５ｃが係止レバー３８の下突条部３８ｃの回動軌跡内に入り込んで、係止レバー３８を巻き止め解除位置に保持する。これにより、従動スプロケット４４の回転ロックが解除されたままの状態となり、次回のフイルム巻き上げ操作が行える。
【００２７】
ベース部３０の前面には、光軸１７と平行に軸４６が形成されている。この軸４６には、断面クランク状のシャッタ羽根４５が回動自在に軸着される。シャッタ羽根４５は、バネ４７の付勢により光軸１７上に設けたシャッタ開口４８を遮蔽する位置と、シャッタ駆動レバー３５の蹴飛ばしによりシャッタ開口４８を露呈する位置との間で回動する。
【００２８】
シャッタ羽根４５の前面には、シャッタカバー４９が取り付けられ、シャッタ羽根４５が光軸１７の方向に揺動することが防止される。このシャッタカバー４９には、光軸１７上に鏡筒が一体に形成されている。この鏡筒内には、撮影レンズ８が組み込まれている。
【００２９】
フイルムカウンタ機構は、図６及び図７に示すように、カム軸４３と枚数表示板３６とで構成されている。カム軸４３は、従動スプロケット４４と一体に回転する。枚数表示板３６は、詳しくは図８に示すように、カム軸３４の１回転により一目盛り分だけ回転され、上面にその時点での残りの撮影枚数を表示する目盛りが記されている。
【００３０】
カム軸４３には、上側から細径である一歯ギヤ５０とこれの下方の太径である係止カム５１とが一体に形成された二段軸構成となってる。一歯ギヤ５０は、楕円柱体の周面にＶ字型の切欠が形成されて歯５０ａが設けられたもので、枚数表示板３６の外周に形成された歯３６ａに噛合して、１回転するごとに枚数表示板３６を一目盛り分だけ回転させる。また、係止カム５１には、円柱の周面に、一歯ギヤ５０の切欠より僅かにずらして切欠５１ａを設けたもので、枚数表示板３６の歯３６ａの下方に一段凹んで形成された係止ギヤ３６ｂに噛合される。
【００３１】
係止ギヤ３６ｂは円弧歯とされており、係止カム５１の外径は係止ギヤ３６ｂに噛合する形状とされている。これにより、カム軸４３が一回転する間に常に係止カム５１と係止ギヤ３６ｂとの噛合が行われるので、フイルムユニット２に強い衝撃や振動が与えられても枚数表示板３６が不要な回動をすることはない。
【００３２】
ところで、一歯ギヤ５０の歯５０ａが枚数表示板３６の歯３６ａに噛合する際には、枚数表示板３６を回転させるために係止カム５１と係止ギヤ３６ｂとの噛合を解除する必要がある。そこで、このとき、係止カム５１の切欠５１ａが係止ギヤ３６ｂの噛合位置に回転するように、切欠５１ａを一歯ギヤ５０の切欠より僅かにずらして設けている。これにより、枚数表示板３６は、一歯ギヤ５０の回転によって一目盛り分だけ回転することができる。
【００３３】
枚数表示板３６の下面には、巻き止め阻止凸部３６ｃが下方に向けて一体に形成されている。この巻き止め阻止凸部３６ｃは、写真フイルム２４の最終コマに撮影を終えた後のフイルム巻き上げ操作を行ってゆく過程で係止レバー３８の立ち上がり突起３８ｅ（図５参照）の回動軌跡内に入り込んで、係止レバー３８をフイルム収納許容位置に保持する。このフイルム収納許容位置は、巻き止め位置よりも僅かに巻き止め解除位置側に寄った位置である。
【００３４】
この状態では、巻き止めカム４０の外周の溝４０ａに係止レバー３８の爪部３８ｂが嵌入しておらず、また、下突条部３８ｃがシャッタ駆動レバー３５の立ち上がり片３５ｃの回動軌跡内に入り込んでシャッタ駆動レバー３５をチャージ位置で保持している。さらに、巻き止め爪３８ｄが巻き上げノブ５の外周の歯列５ａに噛合していない状態である。
【００３５】
巻き止め阻止凸部３６ｃは、図９に示すように、巻き止め阻止凸部３６ｃと枚数表示板３６の回転中心とを通る線分が、軸３３が捩じりバネ３７によって付勢される方向Ａと略直行する角度に移動したときに立ち上がり突起３８ｅの回動軌跡内に入り込む。
【００３６】
これにより、軸３３が捩じりバネ３７の付勢により図９に示す矢印Ａ方向に撓んでも、巻き止め阻止凸部３６ｃの軸３３の撓みによるずれによって係止レバー３８の回転位置がずれることはない。したがって、巻き止め阻止凸部３６ｃと立ち上がり突起３８ｅとの係合が解除されることがない。
【００３７】
巻き止め阻止凸部３６ｃと立ち上がり突起３８ｅとが係合した時点では、枚数表示板３６の歯に設けた欠歯部３６ｄが一歯ギヤ５０の噛合位置に回転してくる。これにより、従動スプロケット４４がフリーとなり、しかもこれが回転しても枚数表示板３６が回転しないから、この状態でフイルム巻き上げ操作を行ってもフイルム巻き止めがかからず、したがって、全ての写真フイルム２４をパトローネ２２の内部に収納することができる。
【００３８】
枚数表示板３６には、一段凹んだ上面に丸穴の開口３６ｅが形成されている。また、保持板３２には、一部を切り欠いて弾性自在に形成したロックピン３２ａが設けられている。このロックピン３２ａは、通常では先端が枚数表示板３６の一段凹んだ上面に負荷をかけないように軽く押し付けた状態で弾性変形されており、枚数表示板３６の回転を許容している。そして、巻き止め阻止凸部３６ｃが係止レバー３８の立ち上がり突起３８ｅの回動軌跡内に入り込んだ時点で、前記開口３６ｅに入り込んで枚数表示板３６の回転をロックする。
【００３９】
保持板３２には、ロックピン３２ａの他に、シャッタ駆動レバー３５及び枚数表示板３６用の軸３３の先端に形成した突起３３ａが挿入される軸孔３２ｂと、カム軸４３の上端に突出された軸４３ａに挿入される軸孔３２ｃと、下面に突出して形成され、係止レバー３８及び捩じりバネ３７用の軸３４の先端に設けた穴３４ａに挿入されるピン３２ｄとがそれぞれ一体に形成されている。また、保持板３２の上面には、枚数表示板３６の上方に配置される位置にレンズ３２ｅが形成されている。このレンズ３２ｅは、撮影枚数表示窓１０から覗いた際に枚数表示板３６の残数表示目盛りを拡大して視認させる。
【００４０】
次に上記構成の作用を説明する。撮影枚数表示窓１０からは、枚数表示板３６に記された未使用状態の「・」マークが表示されている。このとき、ロックピン３２ａは、先端が枚数表示板３６の一段凹んだ面に上方から押し付けるように弾性変形されている。
【００４１】
撮影者は撮影準備として巻き上げノブ５を回転操作してシャッタチャージを行う。シャッタチャージ前のフイルムカウンタ機構は、一歯ギヤ５０と枚数表示板３６の歯３６ａとが噛合していないが、係止カム５１と係止ギヤ３６ｂとが噛合している。
【００４２】
フイルム巻き上げ操作に連動して写真フイルム２４が移送され、このフイルム移送に連係して従動スプロケット４４が回転する。従動スプロケット４４の回転により、シャッタチャージカム４１がシャッタ駆動レバー３５をチャージ位置に向けて回転させる。写真フイルム２４が１コマ分だけ移送されると、回転部材３９が一回転して係止レバー３８が巻き止め位置に回転し、従動スプロケット４４の回転が阻止される。この時点で係止レバー３８がシャッタ駆動レバー３５をチャージ位置で保持した状態となっている。
【００４３】
写真フイルム２４が１コマ分だけ移送する間には、従動スプロケット４４の回転によってカム軸４３が枚数表示板３６を１目盛り分だけ歩進させる。この作用を詳しく説明する。カム軸４３が回転すると、先ず、係止カム５１の切欠５１ａが係止ギヤ３６ｂの噛合位置に回転され、係止カム５１と係止ギヤ３６ｂとの噛合が絶たれる。係止カム５１と係止ギヤ３６ｂとの噛合が絶たれている間に、一歯ギヤ５０の歯５０ａが枚数表示板３６の歯３６ａに噛合し、枚数表示板３６を一目盛り分だけ回転させ、撮影枚数表示窓１０からは、例えば「２７」の目盛りが表示される。そして、回転部材３９が一回転した時点では再び係止カム５１と係止ギヤ３６ｂとが噛合する。
【００４４】
撮影は、シャッタボタン７の押下操作によって行う。この操作によってシャッタボタン７の下部に設けられたロッドが係止レバー３８の立ち下がり片３８ａを巻き止め解除位置に向けて押圧する。この係止レバー３８の回転により下突条部３８ｃと立ち上がり片３５ｃとの係合が解除され、シャッタ駆動レバー３５が捩じりバネ３７の付勢によりレリーズ完了位置に向けて瞬時に回転する。この回転途中で蹴飛ばしアーム３５ｄがシャッタ羽根４５を蹴飛ばす。この蹴飛ばしによってシャッタ羽根４５は軸４６を中心に一往複揺動する。この一往複揺動の間に、撮影レンズ８を透過した被写体光がアパーチャーにセットされた写真フイルム２４に入射して露光が行われる。なお、シャッタ駆動レバー３５がレリーズ完了位置に移動した時点では、係止レバー３８を巻き止め解除位置に保持している。
【００４５】
以後、前述した操作を繰り返すことにより撮影が順次に行われる。そして、写真フイルム２４の最終コマに撮影を終えた後のフイルム巻き上げ操作によって枚数表示板３６は１目盛り分だけ回転して、撮影枚数表示窓１０に「０」の表示を行う。このときの写真フイルム２４の移送によりシャッタ駆動レバー３５がチャージ位置に回転し、係止レバー３８の巻き止め解除位置での保持を解除する。
【００４６】
係止レバー３８が捩じりバネ３７の付勢により巻き止め位置に向けて回転する途中では、枚数表示板３６の巻き止め阻止凸部３６ｃが係止レバー３８の立ち上がり突起３８ｅの回動軌跡内に入り込んで、係止レバー３８をフイルム収納許容位置で保持する。この間、シャッタ駆動レバー３５がチャージ位置に移動しており、フイルム収納許容位置に移動する係止レバー３８の下突条部３８ｃが立ち上がり片３５ｃの回動軌跡内に入り込んでシャッタ駆動レバー３５をチャージ位置で保持する。
【００４７】
このとき、捩じりバネ３７が、シャッタ駆動レバー３５の軸３３を図９に示す矢印Ａ方向に向けて広がるように付勢している。これにより万が一軸３３が図９に示す矢印Ａ方向に向けて撓んでも、巻き止め阻止凸部３６ｃと枚数表示板３６の回転中心とを通る線分が、軸３３が捩じりバネ３７によって付勢される方向と略直行する角度に移動したときに係止レバー３８の巻き止め位置への移動を阻止するようにされているため、係止レバー３８の回転位置がずれることがなく、したがってシャッタ駆動レバー３５をチャージ位置で確実に保持することが可能となる。
【００４８】
また、巻き止め阻止凸部３６ｃが立ち上がり突起３８ｅの回動軌跡内に入り込んだ時点では、枚数表示板３６の歯３６ａに設けた欠歯部３６ｄが一歯ギヤ５０との噛合位置に回転してくるとともに、枚数表示板３６の開口３６ｅが保持板３２のロックピン３２ａに対峙する位置に回転してくる。このため、ロックピン３２ａがこれ自身の弾性で枚数表示板３６の開口３６ｅに入り込んで、枚数表示板３６の回転をロックする。これにより、従動スプロケット４４がフリーとなり、以後のフイルム巻き上げ操作によって全ての写真フイルム２４をパトローネ２２の内部に収納することができるとともに、フイルム巻き止めを阻止した状態のままで枚数表示板３６の回転ロックを確実に行うことができる。
【００４９】
撮影済みのフイルムユニット２は、そのまま現像所に提出される。現像所では、後カバー１５の蓋２６を開いて露光済みの写真フイルム２４を収納したパトローネ２２を取り出し、これを従来どおりに現像及び焼付け処理する。このように処理を行った後に、ユーザーにプリント写真とネガフイルムとを返却する。そして、空のフイルムユニット２は工場に回収されリサイクルされる。
【００５０】
空のフイルムユニット２が工場に回収されるまでの間、例えば夏期の高温下の車内におかれた場合、捩じりバネ３７の付勢によって、シャッタ駆動レバー３５の軸３３、係止レバー３８の軸３４、及び回転部材３９とが互いに離れるように変形した場合には、工場の検査工程でフイルムカウンタ機構の送り不良のために露光ユニット１３が不良品として多数はじかれてしまうが、本実施例では保持板３２によって広がらないように支持しているから、これらの変形等が確実に防止されるため、フイルムユニット２のリサイクル寿命が向上する効果がある。
【００５１】
露光ユニット１３は、本体基部１２と前カバー１６とで保護されているから、汚れやキズ等の損傷が殆どなく、さらに、本体基部１２から簡単に取り外せるため、再利用することが可能である。このとき、ロックピン３２ａを弾性変形させて枚数表示板３６を僅かに回転させれば、枚数表示板３６の回転ロックが解除されるから、フイルムカウンタ機構もそのまま再利用することができる。
【００５２】
【発明の効果】
以上説明したように、シャッタ駆動レバーに設けた巻き止め阻止凸部が、そのシャッタ駆動レバーの回転軸となる第１軸の中心を通り且つ第１軸を係止レバーの回転軸である第２軸から離すバネの作用方向に沿う線に対して略直交する線上の角度位置に回転したときに、係止レバーに設けた突起に係合するように構成しているから、万が一第１軸が第２軸に対して離反する方向に撓んでも、その撓み方向に対して略直交する方向で巻き止め阻止凸部と突起とが係合するから常に同じ回転位置で係合することになり、よって規定枚数のコマ以降に撮影が行われるのを確実に防止することができる。
【図面の簡単な説明】
【図１】レンズ付きフイルムユニットを示す斜視図である。
【図２】ユニット本体の分解斜視図である。
【図３】露光ユニットの分解斜視図である。
【図４】シャッタ駆動レバーの平面図である。
【図５】係止レバーの平面図である。
【図６】フイルムカウンタ機構の要部を示す斜視図である。
【図７】フイルムカウンタ機構とフイルムとの関係の概略を示す正面図である。
【図８】枚数表示板の平面図である。
【図９】巻き止め阻止凸部が係止レバーを巻き止め解除位置に保持した状態を示す説明図である。
【図１０】従来技術で説明した露光ユニットの分解斜視図である。
【図１１】従来技術で説明した枚数表示板の爪が係止レバーを巻き止め解除位置に保持した状態を示す説明図である。
【符号の説明】
２  レンズ付きフイルムユニット
３２ａ  ロックピン
３３，３４，６７，６８  軸
３５，６５  シャッタ駆動レバー
３６，６６  枚数表示板
３６ｃ  巻き止め阻止凸部
３８，６４  係止レバー
３８ｅ  立ち上がり突起
３９  回転部材
４４  従動スプロケット
６４ｄ  突起部
６６ｃ  爪
【図１】
0003588492.tif 000002
【図２】
0003588492.tif 000003
【図３】
0003588492.tif 000004
【図４】
0003588492.tif 000005
【図５】
0003588492.tif 000006
【図６】
0003588492.tif 000007
【図７】
0003588492.tif 000008
【図８】
0003588492.tif 000009
【図９】
0003588492.tif 000010
【図１０】
0003588492.tif 000011
【図１１】
0003588492.tif 000012